【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
歯を治療する装置であって、
前記歯内の歯空洞内に流体を実質的に保持するように前記歯に当接されるように構成された流体保持器であって、内側空洞を備える流体保持器と、
前記流体保持器の前記内側空洞内に配置されたエネルギー出口を有する圧力波発生器と、
を具備し、
それにより、前記流体保持器が前記歯に当接されると、前記内側空洞が、前記歯空洞と連通するように配置され、前記圧力波発生器の前記エネルギー出口が前記歯空洞の外側に配置される、装置。
【請求項２】
本体をさらに具備し、前記本体が、前記流体保持器と、空気が前記歯空洞に入るのを阻止しながら前記流体の少なくとも幾分かが前記歯空洞から出るのを可能にするように構成された１つまたは複数の排出口とを備える、請求項１に記載の装置。
【請求項３】
前記１つまたは複数の排出口が、少なくとも幾分かの空気流が前記歯空洞から出る流体とともに運ばれるのを可能にするように構成される、請求項２に記載の装置。
【請求項４】
前記本体が、流体が前記歯空洞から流れ出るのを可能にするように構成された流体出口をさらに備える、請求項３に記載の装置。
【請求項５】
前記本体がハンドピースをさらに備える、請求項４に記載の装置。
【請求項６】
前記流体保持器が、前記歯空洞からの流体、有機物質または両方の漏れを実質的に阻止するように構成される、請求項１に記載の装置。
【請求項７】
前記流体保持器が、前記流体の少なくとも幾分かが前記歯空洞から出るのを可能にし、かつ空気が前記空洞に入るのを実質的に阻止するように構成される、請求項１に記載の装置。
【請求項８】
前記流体保持器がキャップを備える、請求項１に記載の装置。
【請求項９】
前記キャップが前記歯空洞の周囲に、前記歯空洞内へのアクセス開口部を実質的に閉鎖
するように配置される、請求項８に記載の装置。
【請求項１０】
前記キャップが、平面を有する歯シールと一致する平面を有する、請求項９に記載の装置。
【請求項１１】
前記流体保持器が、前記歯空洞の周囲にかつ前記キャップ内に配置されるように構成された流れ制限器を備える、請求項９に記載の装置。
【請求項１２】
前記キャップが、流体の制御された進入および排出を可能にするように前記歯空洞を実質的に封止する、請求項９に記載の装置。
【請求項１３】
前記流体保持器が、前記歯内の前記流体圧力を、所定圧力レベル未満の圧力で維持するように構成される、請求項１に記載の装置。
【請求項１４】
前記圧力波発生器が、流体ジェット、レーザ、機械的撹拌器および超音波装置からなる群から選択される１つまたは複数の装置を含む、請求項１に記載の装置。
【請求項１５】
前記圧力波発生器が、前記歯空洞内に少なくとも幾分かの流体キャビテーションをもたらすことができる音響エネルギー波を生成するように構成される、請求項１に記載の装置。
【請求項１６】
歯を治療する装置であって、
前記歯内の歯空洞内に流体を実質的に保持するように前記歯に当接されるように構成された流体保持器と、
前記歯空洞から流体を除去するように構成される前記流体保持器の吸引ポートと、
前記吸引ポートと流体連通する排出口と、
を具備し、
前記排出口が、空気が、前記吸引ポートを介して前記歯空洞から除去された流体の流れに混入されるのを可能にするように構成され、
前記排出口が、前記歯内の前記空洞内への空気の流れを、前記空気が前記歯に入ることなしに阻止するようにさらに構成される、装置。
【請求項１７】
前記歯空洞内に流体を供給するための入口ポートをさらに具備する、請求項１６に記載の装置。
【請求項１８】
前記排出口が、長さ対幅の比が約１．５：１より大きい細長い形状を備える、請求項１６に記載の装置。
【請求項１９】
前記排出口が、前記歯の根尖における前記流体の圧力が約１００ｍｍＨｇ未満であるように構成される、請求項１６に記載の装置。
【請求項２０】
前記排出口が、脱気流体が前記歯空洞から出るのを可能にするようにさらに構成される、請求項１６に記載の装置。
【請求項２１】
前記排出口が複数の排出口を含む、請求項１６に記載の装置。
【請求項２２】
前記吸引ポートと流体連通するハウジングをさらに具備する、請求項１７に記載の装置。
【請求項２３】
遠位部を有する圧力波発生器をさらに具備し、前記遠位部が、前記流体保持器を通して
前記歯空洞内に挿入されるように構成される、請求項１６に記載の装置。
【請求項２４】
前記圧力波発生器が、流体ジェット、レーザ、機械的撹拌器および超音波装置からなる群から選択される１つまたは複数の装置を含む、請求項２３に記載の装置。
【請求項２５】
前記圧力波発生器が、音響エネルギー波を発生させるように構成され、前記流体保持器が、前記歯空洞内に、音響エネルギー波が前記流体内に伝播するのを可能にするのに十分な流体を保持するように構成される、請求項２３に記載の装置。
【請求項２６】
前記圧力波発生器によって発生した実質的な量の前記音響エネルギー波が、前記歯空洞内に少なくとも幾分かの流体キャビテーションをもたらすのに十分なエネルギーを保持する、請求項２５に記載の装置。
【請求項２７】
前記流体保持器が流れ制限器を備える、請求項１６に記載の装置。
【請求項２８】
前記流れ制限器がスポンジを含む、請求項２７に記載の装置。
【請求項２９】
前記流体保持器が、前記歯空洞からの流体、有機物質または両方の漏れを実質的に阻止するように構成される、請求項１６に記載の装置。
【請求項３０】
前記流体保持器がキャップを備える、請求項２３に記載の装置。
【請求項３１】
前記キャップが前記歯空洞の周囲に、前記歯空洞内へのアクセス開口部を実質的に閉鎖するように配置される、請求項３０に記載の装置。
【請求項３２】
前記キャップが、前記歯の歯シール領域の上に配置されるように構成される、請求項３１に記載の装置。
【請求項３３】
前記キャップが、平面を有する歯シールと一致する平面を有する、請求項３２に記載の装置。
【請求項３４】
前記流体保持器が、前記歯空洞の周囲にかつ前記キャップ内に配置される流れ制限器を備える、請求項３１に記載の装置。
【請求項３５】
前記キャップが、流体の制御された進入および排出を可能にするように前記歯空洞を実質的に封止する、請求項３１に記載の装置。
【請求項３６】
歯を治療する装置であって、
少なくとも、歯内の歯空洞内に挿入されかつ前記歯空洞内の流体に沈められるように構成された遠位部を有する、圧力波発生器
を具備し、
前記圧力波発生器が、広帯域スペクトルを有する音響圧力波を生成する、装置。
【請求項３７】
前記広帯域スペクトルが、少なくとも約１ｋＨｚを超える周波数の出力を含む、請求項３６に記載の装置。
【請求項３８】
前記広帯域スペクトルが、少なくとも約１０ｋＨｚを超える周波数の出力を含む、請求項３６に記載の装置。
【請求項３９】
前記広帯域スペクトルが、少なくとも約１００ｋＨｚを超える周波数の出力を含む、請
求項３６に記載の装置。
【請求項４０】
前記広帯域スペクトルが、約５０ｋＨｚより大きい帯域幅を有する、請求項３６に記載の装置。
【請求項４１】
前記広帯域スペクトルが、約１００ｋＨｚより大きい帯域幅を有する、請求項３６に記載の装置。
【請求項４２】
前記広帯域スペクトルが、約５００ｋＨｚより大きい帯域幅を有する、請求項３６に記載の装置。
【請求項４３】
前記圧力波発生器が、流体ジェット、レーザ、機械的撹拌器および超音波装置からなる群から選択される１つまたは複数の装置を含む、請求項３６に記載の装置。
【請求項４４】
前記圧力波発生器の前記遠位部が衝突面を備え、前記圧力波発生器が、前記衝突面に衝突するように構成された液体ジェットを含む、請求項３６に記載の装置。
【請求項４５】
前記液体ジェットに対する液体を提供するように構成された脱気液源をさらに具備する、請求項４４に記載の装置。
【請求項４６】
流体保持器をさらに具備し、前記流体保持器が前記圧力波発生器の周囲に、前記歯空洞内へのアクセス開口部を実質的に閉鎖するように配置される、請求項３６に記載の装置。
【請求項４７】
前記流体保持器が、前記歯空洞内への空気の流れを実質的に阻止するように構成される、請求項４６に記載の装置。
【請求項４８】
前記流体保持器がスポンジを含む、請求項４６に記載の装置。
【請求項４９】
前記流体保持器が、前記歯空洞から流体を除去するための流体出口ポートを備える、請求項４６に記載の装置。
【請求項５０】
前記流体出口ポートと流体連通する排出口をさらに具備する、請求項４９に記載の装置。
【請求項５１】
前記排出口が、空気が、前記流体出口ポートを介して、前記歯空洞から除去された流体の流れに混入されるのを可能にするように構成され、前記排出口が、前記歯空洞内への空気の流れを阻止するようにさらに構成される、請求項５０に記載の装置。